(57)【要約】【課題】本発明は、少芯数のコネクタ１０でも、要求されたＦＰＣ２２の保持力を確保することができ、接続不良にも繋がらないコネクタ１０を提供せんとするものである。【解決手段】本目的は、ＦＰＣ２２と着脱自在に嵌合するコネクタ１０であって、ＦＰＣ２２と接触する接触部３０を有する所要数のコンタクト１４と、このコンタクト１４が保持・固定されるとともにＦＰＣ２２が挿入される嵌合口２４を有するハウジング１２とを備えるコネクタ１０において、ＦＰＣ２２に係止部５４を設け、係止部５４と係合する係合部５６を有するロック部材２０をハウジング１２に装着し、ロック部材２０の係合部５６をＦＰＣ２２の係止部５４に係合させることによりＦＰＣ２２がハウジング１２から抜けないようにすることにより達成でき、更に前記係合部５６に対応した位置に溝部５７を設けることでより確実なロックができる。【選択図】  図２
2008053246.tif 000002
【特許請求の範囲】
【請求項１】
フレキシブルプリント基板（ＦＰＣ）と着脱自在に嵌合するコネクタであって、該フレキシブルプリント基板と接触する接触部を有する所要数のコンタクトと、このコンタクトが保持・固定されるとともに前記フレキシブルプリント基板が挿入される嵌合口を有するハウジングとを備えるコネクタにおいて、  前記フレキシブルプリント基板に係止部を設け、該係止部と係合する係合部を有するロック部材を前記ハウジングに装着し、前記ロック部材の係合部を前記フレキシブルプリント基板の係止部に係合させることにより前記フレキシブルプリント基板が前記ハウジングから抜けないようにしたことを特徴とするコネクタ。
【請求項２】
前記係合部と対向した位置に溝部を設けたことを特徴とする請求項１記載のコネクタ。
【請求項３】
前記ロック部材に基板との接続部を設け、基板へ固定するための固定具とのしての役割を持たせたことを特徴とする請求項１又は２記載のコネクタ。
【請求項４】
前記フレキシブルプリント基板を前記ハウジングの嵌合口へ挿入する際に力の掛からないゼロ  インサーション  フォース（ＺＩＦ）構造にするために、前記フレキシブルプリント基板を挿入してから前記コンタクトに押しつけるスライダーを用い、該スライダーで前記フレキシブルプリント基板を前記コンタクトに押しつけた際に前記ロック部材の係合部が前記フレキシブルプリント基板の係止部に係合するようにしたことを特徴とする請求項１又は２記載のコネクタ。
【請求項５】
前記ロック部材の係合部と前記フレキシブルプリント基板の係止部とが係合した際に、前記係合部のフラット部分が前記係止部に係合するような関係に前記溝部を設けたことを特徴とする請求項２、３又は４記載のコネクタ。
【請求項６】
前記ハウジングには前記嵌合口側に前記フレキシブルプリント基板を誘う凹部を設け、前記コンタクトの接続部を前記ハウジングの凹部内から突出しないように配置したことを特徴とする請求項５記載のコネクタ。
【請求項７】
２種類のコンタクトを千鳥に配置し、一方のコンタクトの接続部を前記ハウジングの嵌合口と反対側に配置し、もう一方のコンタクト及び前記ロック部材の接続部を前記ハウジングの凹部内から突出しないように配置したことを特徴とする請求項６記載のコネクタ。
【請求項８】
一方のコンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設けるとともに前記支点部から押受部と対向するように延設部を設け、前記接続部が前記ハウジングの凹部内に入るように配置し、前記スライダーに長手方向に連設した押圧部を設け、該押圧部が一方のコンタクトの接続部と押受部との間及びもう一方のコンタクトの押受部と延設部との間で前記押圧部が回動自在に回動するように前記スライダーを前記ハウジングに装着したことを特徴とする請求項７記載のコネクタ。
【請求項９】
前記ロック部材をもう一方のコンタクトと同一構造にしたことを特徴とする請求項８記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）の挿入時にコネクタへロックする構造に関するものである。
【背景技術】
【０００２】
携帯電話やＣＣＤカメラ等に使用されるコネクタは、狭ピッチで極薄（所謂軽薄短小）であり、１つのタイプは主にハウジングとコンタクトとを備え、ハウジングにＦＰＣを挿入し、コンタクトの接触部に接触させる構造のもの（所謂、ノンＺＩＦタイプ）やまた違うタイプとしては主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプとしての特許文献１（実開平６−６０９８３号）とピアノタッチタイプとしての特許文献２（特開平１３−２５７０２０号）を例示する。また、ＦＦＣをロックする構造として、特許文献３（実開平６−８２７８３号）を例示する。
【特許文献１】例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【特許文献２】所謂、ピアノタッチ構造としては、特開平１３−２５７０２０号に、コネクタのコンタクトとＦＰＣ叉はＦＦＣのパターンとの位置合わせを確実に行うことを目的とし、該文献２には、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ叉はＦＦＣのパターン間の凹部に入ることにより、コネクタのコンタクトとＦＰＣ叉はＦＦＣのパターンとの位置合わせを確実に行うものが開示されている。
【特許文献３】フレキシブルフラットケーブルをロックする構造として、実開平６−８２７８３号に、フレキシブルケーブルの裏面にリジットな補強板が取り付けられているフラットケーブルでも容易にスライダーの爪に係止させることを目的とし、該文献３にはコンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるコネクタにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設したものが開示されている。
【発明の開示】
【発明が解決しようとする課題】
【０００３】
近年では、客先の仕様によって、４〜１０芯と言った少芯数の要求も増えてきている。ＦＰＣの挿入力は小さい方が良いが、ＦＰＣの保持力は大きい方がよい。このようにＦＰＣの挿入力と保持力には相反することが要求されている。上述した所謂ノンＺＩＦタイプでは、ＦＰＣの挿入力と保持力は、前記コンタクトの接触圧（力）によって決まる。即ち、ＦＰＣの保持力は、コンタクトの芯数にコンタクト１芯当たりの接触圧を乗じた力になる。客先からの保持力５Ｎという要求に対して、１０芯以下では、５Ｎという保持力を確保することができず、ＦＰＣが抜けてしまい接続不良になると言った解決すべき課題があった。
また、上述したＺＩＦタイプの即ち、前記ＦＰＣを前記ハウジングに挿入した後に前記スライダーで前記ＦＰＣを前記コンタクトへ押しつけるものでも、スライダーを挿入した分の初期値が上がるだけで、依然としてコンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
なお、文献３のように、フレキシブルケーブルの係止部に突設したスライダーの係止突子を挿入係止されるものでも、スライダーの挿入方向とフレキシブルケーブルの挿入方向が同一のため、依然として、コンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
【０００４】
文献２と文献３とを組み合わせて、文献３のように、文献２に示した所謂ピアノタッチタイプのものに、ＦＰＣに係止部とスライダーに係止突子とを設けたロック構造にすると、ＦＰＣの挿入方向とスライダーの回転方向が違うために芯数が少なくてもＦＰＣの保持力は確保できるが、スライダーには弾性がないので無理にＦＰＣを保持力以上の力で引っ張るとスライダー若しくはＦＰＣが破損してしまう。また、ＦＰＣがこじられる場合には、ＦＰＣを挿入方向と反対方向に引っ張るというよりは、斜め上方へ引っ張るのが一般的であるが、この場合にはスライダーの回転方向と同方向になるため、要求された保持力を得られないことがあった。
【０００５】
そこで、本出願人は、少芯数のコネクタでも、要求されたＦＰＣの保持力を確保することができ、接続不良にも繋がらないコネクタとして、特願２００２−３７３４０３を提案している。この特願２００２−３７３４０３で、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにするコネクタを提案している。
しかしながら、本出願人が行った上記提案のようなロック構造では、ロック部材の係合部がＦＰＣの係止部に係合した際に、前記係合部の先端がＲ形状をしているため、Ｒ形状部分が前記係止部にかかっているので、ロック部材が外れ易く、保持力が４Ｎしかもたないといった課題があった。
【０００６】
本発明は、このような従来の問題点に鑑みてなされたもので、少芯数のコネクタでも、要求されたＦＰＣの保持力を確保することができ、接続不良にも繋がらないコネクタを提供せんとするものである。
【課題を解決するための手段】
【０００７】
少芯数のコネクタでも、要求されたＦＰＣの保持力を確保することができ、接続不良にも繋がらないコネクタとしての上記目的は、ＦＰＣ２２と着脱自在に嵌合するコネクタ１０であって、該ＦＰＣ２２と接触する接触部３０を有する所要数のコンタクト１４と、このコンタクト１４が保持・固定されるとともに前記ＦＰＣ２２が挿入される嵌合口２４を有するハウジング１２とを備えるコネクタ１０において、前記ＦＰＣ２２に係止部５４を設け、該係止部５４と係合する係合部５６を有するロック部材２０を前記ハウジング１２に装着し、前記ロック部材２０の係合部５６を前記ＦＰＣ２２の係止部５４に係合させることにより前記ＦＰＣ２２が前記ハウジング１２から抜けないようにすることにより達成できる。
【０００８】
ロック部材の十分な保持力が５Ｎを確保でき、接続不良にも繋がらないコネクタ１０としての目的は、前記係合部５６と対向した位置に溝部５７を設けることで達成できる。溝部５７を設けることで、確実に前記係合部５６が前記係止部５４に係合し、保持力が５Ｎを確保できる。
前記ロック部材２０に基板との接続部６０を設け、基板へ固定するための固定具とのしての役割を持たせる。このように固定具としての役割も持たせることで、前記ロック部材２０がより強固になり、確実に要求される保持力を満足することができる。
前記ＦＰＣ２２を前記ハウジング１２の嵌合口２４へ挿入する際に力の掛からないゼロ  インサーション  フォース（ＺＩＦ）構造にするために、前記ＦＰＣ２２を挿入してから前記コンタクト１４に押しつけるスライダー１８を用い、該スライダー１８で前記ＦＰＣ２２を前記コンタクト１４に押しつけた際に前記ロック部材２０の係合部５６が前記ＦＰＣ２２の係止部５４に係合するようにする。このようにＺＩＦ構造にし、前記スライダー１８で前記ＦＰＣ２２を前記コンタクト１４に押しつけた際に前記ロック部材２０の係合部５６が前記ＦＰＣ２２の係止部５４に係合するようにすることで、前記ＦＰＣ２２を容易に挿入することができ、かつ、確実な係合ができ、要求される保持力を満足することができる。
前記ロック部材２０の係合部５６と前記ＦＰＣ２２の係止部５４とが係合した際に、前記係合部５６のフラット部分５９が前記係止部５４に係合するような関係に前記溝部５７を設ける。このような関係になるように溝部５７を設けることで、確実に前記係合部５６が前記係止部５４に係合し、要求された保持力を確保できる。
前記ハウジング１２には前記嵌合口２４側に前記ＦＰＣ２２を誘う凹部２６を設け、前記コンタクト１４の接続部３４を前記ハウジング１２の凹部２６内から突出しないように配置する。このようにコンタクト１４を配置することで、確実にＦＰＣ２２を前記ハウジング１２の嵌合口２４に案内することができる。
【０００９】
２種類のコンタクト１４、１６を千鳥に配置し、一方のコンタクト１４の接続部３４を前記ハウジング１２の嵌合口２４と反対側に配置し、もう一方のコンタクト１６及び前記ロック部材２０の接続部３４、６０を前記ハウジング１２の凹部２６内から突出しないように配置する。このように２種類のコンタクト１４、１６と前記ロック部材２０を配置することで、確実にＦＰＣ２２を前記ハウジング１２の嵌合口２４に案内することができ、かつ、前記ロック部材２０の接続部６０を前記嵌合口２４側に配置することで、前記ＦＰＣ２２のこじりに対して強固になる。
一方のコンタクト１４には接触部３０と接続部３４との間に弾性部４０と支点部３８とを設けるとともに前記接触部３０と前記弾性部４０と前記支点部３８と前記接続部３４とを略クランク形状に配置し、かつ、前記接続部３４と対向する位置に前記弾性部４０から延設された押受部３２を設け、もう一方のコンタクト１６には接触部３０と接続部３４との間に弾性部４０と支点部３８とを設けるとともに前記接触部３０と前記弾性部４０と前記支点部３８と前記接続部３４とを略コ字状に配置し、かつ、前記弾性部４０から接触部３０と反対方向に延設された押受部３２を設けるとともに前記支点部３８から押受部３２と対向するように延設部４２を設け、前記接続部３４が前記ハウジング１２の凹部２６内に入るように配置し、前記スライダー１８に長手方向に連設した押圧部５０を設け、該押圧部５０が一方のコンタクト１４の接続部３４と押受部３２との間及びもう一方のコンタクト１６の押受部３２と延設部４２との間で前記押圧部５０が回動自在に回動するように前記スライダー１８を前記ハウジング１２に装着する。このようにスライダー１８を前記ハウジング１２の嵌合側と反対側で回動させることで、ＦＰＣ２２のこじりに対する影響もなく、確実に要求された保持力を満足することができる。
前記ロック部材２０をもう一方のコンタクト１６と同一構造にする。このように同一構造にすることで、前記ロック部材２０でもＺＩＦ構造を実現でき、ＦＰＣ２２のロックも確実にすることができる。
【００１０】
本コネクタの作用としては、図１（Ａ）の状態で前記ＦＰＣ２２を前記ハウジング１２の嵌合口２４内に挿入していき、前記スライダー１８を矢印「イ」方向に回動させると、前記ロック部材２０の係合部５６に弾性があるので、上方に持ち上げられ容易に前記ＦＰＣ２２の係止部５４に係合することができる。また、前記ロック部材２０をＺＩＦ構造にすると、前記ＦＰＣ２２を前記ハウジング１２の嵌合口２４内に挿入していった時に、前記ＦＰＣ２２を傷つけることなく、容易に前記ロック部材２０の係合部５６と前記ＦＰＣ２２の係止部５４が係合する。前記コンタクト１４、１６も前記ロック部材２０と同様の構成にすることで、同様の作用を奏する。
【発明の効果】
【００１１】
以上の説明から明らかなように、本発明のコネクタ１０によると、次のような優れた顕著な効果が得られる。
（１）前記ＦＰＣ２２に係止部５４を設け、該係止部５４と係合する係合部５６を有するロック部材２０を前記ハウジング１２に装着し、前記ロック部材２０の係合部５６を前記ＦＰＣ２２の係止部５４に係合させることにより前記ＦＰＣ２２が前記ハウジング１２から抜けないようにしているので、少ない芯数でも要求された保持力を満足することができ、接続不良に繋がらない。
（２）前記係合部５６と対向した位置に溝部５７を設けているので、０．９ｍｍ以下といった低背位化しても、確実に前記係合部５６が前記係止部５４に係合し、保持力が５Ｎを確保でき、前記ロック部材２０が外れることがなく、接続不良に繋がらない。
（３）前記ロック部材２０に基板との接続部６０を設け、基板へ固定するための固定具としての役割を持たせているので、前記ロック部材２０がより強固になり、確実に要求される保持力を満足することができる。
（４）前記ＦＰＣ２２を前記ハウジング１２の嵌合口２４へ挿入する際に力の掛からないゼロ  インサーション  フォース（ＺＩＦ）構造にするために、前記ＦＰＣ２２を挿入してから前記コンタクト１４に押しつけるスライダー１８を用い、該スライダー１８で前記ＦＰＣ２２を前記コンタクト１４に押しつけた際に前記ロック部材２０の係合部５６が前記ＦＰＣ２２の係止部５４に係合するようにしているので、前記ＦＰＣ２２を容易に挿入することができ、かつ、確実な係合ができ、要求される保持力を満足することができる。
（５）前記ロック部材２０の係合部５６と前記ＦＰＣ２２の係止部５４とが係合した際に、前記係合部５６のフラット部分５９が前記係止部５４に係合するような関係に前記溝部５７を設けているので、確実にロック部材２０が前記ＦＰＣ２２に係合し、５Ｎ以上の安定した保持力を確保することができ、前記ロック部材２０が外れ難くなる。
【００１２】
（６）前記ハウジング１２には前記嵌合口２４側に前記ＦＰＣ２２を誘う凹部２６を設け、前記コンタクト１４の接続部３４を前記ハウジング１２の凹部２６内から突出しないように配置しているので、確実にＦＰＣ２２を前記ハウジング１２の嵌合口２４に案内することができる。
（７）２種類のコンタクト１４、１６を千鳥に配置し、一方のコンタクト１４の接続部３４を前記ハウジング１２の嵌合口２４と反対側に配置し、もう一方のコンタクト１６及び前記ロック部材２０の接続部３４、６０を前記ハウジング１２の凹部２６内から突出しないように配置しているので、確実にＦＰＣ２２を前記ハウジング１２の嵌合口２４に案内することができ、かつ、ＦＰＣ２２のこじりに対して強固になり、要求された保持力を満足できる。
（８）一方のコンタクト１４には接触部３０と接続部３４との間に弾性部４０と支点部３８とを設けるとともに前記接触部３０と前記弾性部４０と前記支点部３８と前記接続部３４とを略クランク形状に配置し、かつ、前記接続部３４と対向する位置に前記弾性部４０から延設された押受部３２を設け、もう一方のコンタクト１６には接触部３０と接続部３４との間に弾性部４０と支点部３８とを設けるとともに前記接触部３０と前記弾性部４０と前記支点部３８と前記接続部３４とを略コ字状に配置し、かつ、前記弾性部４０から接触部３０と反対方向に延設された押受部３２を設けるとともに前記支点部３８から押受部３２と対向するように延設部４２を設け、前記接続部３４が前記ハウジング１２の凹部２６内に入るように配置し、前記スライダー１８に長手方向に連設した押圧部５０を設け、該押圧部５０が一方のコンタクト１４の接続部３４と押受部３２との間及びもう一方のコンタクト１６の押受部３２と延設部４２との間で前記押圧部５０が回動自在に回動するように前記スライダー１８を前記ハウジング１２に装着しているので、スライダー１８は前記ハウジング１２の嵌合側と反対側で回動することになり、ＦＰＣ２２のこじりに対する影響もなく、確実に要求された保持力を満足することができる。
（９）前記ロック部材２０をもう一方のコンタクト１６と同一構造にしているので、前記ロック部材２０でもＺＩＦ構造を実現でき、ＦＰＣ２２のロックも確実にすることができる。
（１０）スライダー１８をハウジング１２のコンタクト接続部３４側で回動させることで、コンタクト１４、１６の接触部３０をＦＰＣ２２に接触させる構造にしているので、ハウジング１２の嵌合口２４にスライダー１８を挿入することがなく、スライダーの厚み分だけコネクタの低背位化が可能になった。
（１１）２種類のコンタクト１４、１６を準備し、一方のコンタクト１４を接続部３４側から挿入し、もう一方のコンタクト１６を嵌合口２４側から挿入し、前記スライダー１８を一方のコンタクト１４の接続部３４側で回動させることで、容易に狭小化と低背位化が可能になる。
【発明を実施するための最良の形態】
【００１３】
本発明の重要な特徴は、「前記ＦＰＣ２２に係止部５４を設け、該係止部５４に前記ロック部材２０の係合部５６を係合させ、前記ＦＰＣ２２が前記ハウジング１２から抜けないようにした」点と「前記ロック部材２０の係合部５６と対向した位置に溝部５７を設けた」にある。この特徴を活かした形態には、３つのタイプがあり、ＦＰＣをコンタクトに接触させる構造である点では同じであるが、ＦＰＣをコンタクトに接触させる仕方に相違がある。
第一の構造のコネクタは、主にハウジングとコンタクトとスライダーとを備えており、前記スライダーが回動してＦＰＣをコンタクトに押しつけるタイプのものであり、所謂ピアノタッチ方式と称するタイプのコネクタである。前記スライダーを回動させる位置としては、嵌合側であったり、コンタクト接続側（テール側）であったりする。以下の実施例では、このタイプのものを詳細に説明する。
【００１４】
第二の構造のコネクタは、第一と同様に主にハウジングとコンタクトとスライダーとを備えており、前記スライダーを前記ハウジングの嵌合口へ挿入して、前記ＦＰＣを前記コンタクトに押しつけるタイプのものであり、所謂ＺＩＦ構造（ゼロ  インサーション  フォース）タイプ）のコネクタと称するものである。即ち、前記ハウジングの嵌合口から前記ＦＰＣを挿入した後に、前記スライダーを前記嵌合口内に挿入して、前記ＦＰＣを前記コンタクトに押しつけるものである。
第三の構造のコネクタは、主にハウジングとコンタクトとを備えており、前記ＦＰＣを前記ハウジングの嵌合口へ挿入して、前記ＦＰＣを前記コンタクトに接触させる（押しつける）タイプのものであり、スライダーを使用しない所謂ＮＯＮ  ＺＩＦタイプのコネクタと称されるものである。即ち、前記ＦＰＣの厚さより狭い、前記コンタクト接触部間や前記コンタクトと前記ハウジングとの間に、前記ＦＰＣを無理に挿入して、前記コンタクトに接触させる（押しつける）ものである。
上述した３つの構造のもの全てに、前記ＦＰＣに係止部を設け、該係止部に前記ロック部材の係合部を係合させ、前記ＦＰＣが前記ハウジングから抜けないようにしていることは言うまでもない。
【実施例】
【００１５】
図１から図６に基づいて、本発明のコネクタの一実施例について説明する。図１（Ａ）はスライダーが開いた状態の嵌合口側からみた本発明のコネクタの斜視図であり、（Ｂ）はスライダーが開いた状態の逆側からみた本発明のコネクタの斜視図である。図２（Ａ）はスライダーが開いた状態のロック部材部分で切断した本発明のコネクタの斜視図であり、（Ｂ）はＦＰＣが挿入されスライダーが閉じた状態のロック部材部分で切断した本発明のコネクタの斜視図である。図３はロック部材の斜視図である。図４（Ａ）は部分的なＦＰＣの斜視図であり、（Ｂ）は（Ａ）とは別のＦＰＣの斜視図である。図５（Ａ）はスライダーが開いた状態のある一方のコンタクト部分で切断した本発明のコネクタの斜視図であり、（Ｂ）はスライダーが開いた状態のあるもう一方のコンタクト部分で切断した本発明のコネクタの斜視図である。図６はスライダーの斜視図である。図７（Ａ）はＦＰＣが挿入される前のロック部材部分で断面した断面図であり、（Ｂ）はＦＰＣが挿入されロック部材がＦＰＣにロックされた状態の断面図である。
一実施例の本発明のコネクタ１０は、主にハウジング１２とスライダー１８とコンタクト１４、１６とロック部材２０を備えている。該コネクタ１０は、２種類のコンタクト１４、１６をハウジング１２への挿入方向を変えて千鳥に配列しており、挿入方向を変えて千鳥に配列することによってピッチの狭小化と低背位化に対応させたものであり、また、ロック部材２０によりＦＰＣ２２の保持力をアップしたものである。
【００１６】
構成部品を説明する前に、ＦＰＣ２２について説明する。前記ＦＰＣ２２には、主にコンタクト１４、１６の接触部３０と接触する接触部５２と該接触部５２から回路へ繋がるパターンとロック部材２０の係合部５６と係合する係止部５４とを備えている。図４のように、本実施例では前記ＦＰＣ２２の接触部５２は千鳥に配置した。前記係止部５４の形状としては、前記ロック部材２０の係合部５６に係合できれば如何なるものでも良いが、本実施例では図４（Ａ）のようにコ字形状の切り欠きにしてもよく、（Ｂ）のように貫通孔にしてもよい。仕様によっては（Ｂ）の貫通孔を止め孔にしてもよい。
【００１７】
まず、本発明のポイントであるロック部材２０について説明する。このロック部材２０は金属製であり、公知技術のプレス加工によって製作されている。前記ロック部材２０の材質としては、バネ性や成型性などが要求されるので、黄銅やベリリウム銅やリン青銅等を挙げることができる。
本実施例では、前記ロック部材２０は前記コンタクト１６と同様構造にし、倒略Ｈ字形状をしており、主にＦＰＣ２２の係止部５４に係合する係合部５６と基板に接続する接続部６０とハウジング１２に固定する固定部６２と前記係合部５６と前記接続部６０との間に設けられた弾性部６６及び支点部６４と前記弾性部６６から延設された押受部５８と前記支点部６４からも前記接続部６０と反対方向に延設された延設部６８とを備え、前記係合部５６と前記弾性部６６と前記支点部６４と前記接続部６０とは略コ字形状に配置されている。また、前記ロック部材２０には、図７（Ｂ）のように前記係合部５６が前記ＦＰＣ２２の係止部５４に係合した際の前記係合部５６に対応した位置に溝部５７が設けられている。該溝部５７の形状、大きさは前記ロック部材２０の係合部５６と前記ＦＰＣ２２の係止部５４とが係合した際に、前記係合部５６のフラット部分５９が前記係止部５４に係合するような関係になり、かつ、前記ロック部材２０の強度を考慮して適宜設計する。また、同様な関係になり、かつ、強度を考慮して、前記係合部５６の先端のＲ（アール）の大きさも適宜設計する。本実施例では前記溝部５７の深さを０．０８ｍｍにし、前記係合部５６のＲの大きさを０．０５ｍｍにし、前記溝部５７の形状は凹んだ湾曲状にした。前記接続部６０は、本実施例では、表面実装タイプ（ＳＭＴ）にしているが、ディップタイプでも良い。
前記弾性部６６と前記支点部６４と前記押受部５８と前記延設部６８については、もう一方のコンタクト１６と同様の作用・効果を有するため、もう一方のコンタクト１６の説明を参照願います。
【００１８】
前記ロック部材２０の係合部５６は、前記ＦＰＣ２２の係止部５４に対応した位置に設けられ、かつ、前記ロック部材２０は前記係合部５６と前記係止部５４とが係合できるように前記ハウジング１２に圧入や引っ掛け（ランス）等により前記ロック部材２０の接続部６０が前記ハウジング１２の嵌合口２４側になるように固定する。前記係合部５６の大きさは要求される保持力を満足するように適宜設計し、また、形状は前記ＦＰＣ２２の係止部５４に係合できれば如何なるものでもよいが、保持力等を考慮し、本実施例では略直角三角形にし、垂直の面が前記ＦＰＣ２２の係止部５４の面に接するようにする。即ち、前記ロック部材２０の係合部５６と前記ＦＰＣ２２の係止部５４とが係合した際に、前記係合部５６のフラット部分５９が前記係止部５４に係合するような関係に前記溝部５７を設けることで、確実にロック部材２０が前記ＦＰＣ２２に係合し、５Ｎ以上の安定した保持力を確保することができ、前記ロック部材２０が外れ難くしている。
本実施例では、前記係合部５６は前記ＦＰＣ２２を前記ハウジング１２の嵌合口２４に挿入する時は前記係止部５４に係合しないが、前記スライダー１８により前記ＦＰＣ２２を前記コンタクト１４、１６に押圧する時に係合するようになっている。
【００１９】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２０】
前記ハウジング１２には、所要数のコンタクト１４、１６が装着される挿入溝２８が設けられており、圧入や引っ掛け（ランス）や溶着等によって固定されている。また、前記ハウジング１２には前記ＦＰＣ２２が挿入される嵌合口２４が設けられ、前記嵌合口２４側に前記ＦＰＣ２２を誘う凹部２６が設けられている。該凹部２６の大きさは、前記ハウジング１２の強度や前記コンタクト１６及び前記ロック部材２０の接続性（半田付け性）や前記ＦＰＣ２２の誘い易さを考慮し、前記コンタクト１６及び前記ロック部材２０の接続部３４、６０が前記ハウジング１２の凹部２６内から突出しないように適宜設計されている。前記嵌合口２４の大きさは前記ＦＰＣ２２が挿入でき、前記ＦＰＣ２２が挿入された際に前記スライダー１８で前記コンタクト１４、１６に押圧できるように適宜設計されている。前記ハウジング１２の長手方向両側には、前記スライダー１８の軸４６が回動可能に装着される軸受部が設けられている。この軸受部の形状や大きさは、スライダー１８の軸４６が回動できるように装着されていれば如何なるものでもよく、この役割やハウジング１２の強度や大きさ等を考慮して適宜設計する。さらにまた、長手方向両側には、前記スライダー１８のロック部に対応した位置に係止部が設けられている。
【００２１】
次に、２種類のコンタクト１４、１６について説明する。この２種類のコンタクト１４、１６は前記ロック部材２０同様に金属製であり、公知技術のプレス加工によって製作されている。前記コンタクト１４、１６の材質としては、バネ性や導電性などが要求されるので、黄銅やベリリウム銅やリン青銅等を挙げることができる。
【００２２】
一方の前記コンタクト１４は、図５（Ａ）のように倒略Ｈ形状をしており、主にＦＰＣ２２と接触する接触部３０と基板に接続する接続部３４とハウジング１２に固定する固定部３６と前記接触部３０と前記接続部３６との間に設けられた弾性部４０及び支点部３８と前記接続部３６と対向する位置に前記弾性部４０から延設された押受部３２と支点部３８から延設した方向にも前記ＦＰＣ２２と接触するもう一つの接触部３０とを備えている。上方側の前記接触部３０（図５（Ａ）の図面の上側）と前記弾性部４０と前記支点部３８と前記接続部３４とは、略クランク形状に配置されている。前記接触部３０は、ＦＰＣ２２と接触し易いように凸部形状にしており、前記接続部３４は本実施例では図１のように表面実装タイプ（ＳＭＴ）にしているが、ディップタイプでも良い。即ち、２つの接触部３０、３０を設けて、前記ＦＰＣ２２を挟持するようにする。前記ＦＰＣ２２の挿入方向に対して、直角方向両側に接触部３０、３０を設けることで、前記ＦＰＣ２２を２つの接触部３０、３０で挟持することになり、確実に前記ＦＰＣ２２と接触できるようになる。
【００２３】
前記支点部３８と前記弾性部４０と前記押受部３２とは、前記ＦＰＣ２２が挿入された際に、次のような作用を果たすための部分である。前記ＦＰＣ２２が前記ハウジング１２の嵌合口２４内に挿入された後に、前記スライダー１８の押圧部５０が前記コンタクト１４の接続部３４と押受部３２との間で回動すると、前記押受部３２が押圧部５０によって押し上げられることで前記コンタクト１４の支点部３８を支点にし、前記コンタクト１４の弾性部４０が前記接触部３０側に傾くことによって、前記接触部３０が前記ＦＰＣ２２側に押圧される。前記支点部３８と前記弾性部４０と前記押受部３２の大きさや形状は、このような作用を果たすために、適宜設計されている。また、前記コンタクト１４の押受部３２の先端に突出部４４を設け、スライダー１８の押圧部５０をコンタクト１４の押受部３２と接続部３４との間で回動させるとき、前記スライダー１８の係止孔４８に係合させることで、スライダー１８の回動に対する強い反発力に対抗し、スライダー１８の中央部が図１（Ａ）の矢印「ロ」方向に膨れてしまうことを防ぐようにすることが望ましい。前記突出部４４の大きさは、このような役割を果たすことが出来れば如何なる大きさでもよく、スライダー１８の係止孔４８が引っ掛かる程度に適宜設計する。
【００２４】
もう一方のコンタクト１６について説明する。ここでは、上述した一方のコンタクト１４との相違部分についてのみ説明する。もう一方の前記コンタクト１６も一方の前記コンタクト１４と同様に倒略Ｈ字形状をしており、主にＦＰＣ２２と接触する接触部３０と基板に接続する接続部３４とハウジング１２に固定する固定部３６と前記接触部３０と前記接続部３４との間に設けられた弾性部４０及び支点部３８と前記弾性部４０から延設された押受部３２と前記支点部３８からも接続部３４と反対方向に延設された延設部４２とを備え、前記接触部３０と前記弾性部４０と前記支点部３８と前記接続部３４とは略コ字形状に配置されている。前記接続部３４は、一方のコンタクト１４と同様に表面実装タイプ（ＳＭＴ）にしているが、ディップタイプでも良い。
【００２５】
前記支点部３８と前記弾性部４０と前記押受部３２とは、一方のコンタクト１４と同様に、前記ＦＰＣ２２が挿入された際に、前記スライダー１８の押圧部５０が前記コンタクト１６の押受部３２と延設部４２との間で回動すると、前記押受部３２が押圧部５０によって押し上げられることで前記コンタクト１６の支点部３８を支点にし、前記コンタクト１６の弾性部５０が前記接触部３０側に傾くことによって、前記接触部３０が前記ＦＰＣ２２側に押圧される。前記支点部３８と前記弾性部４０と前記押受部３２の大きさや形状は、このような作用を果たすために、適宜設計されている。また、前記コンタクト１６の押受部３２の先端に突出部４４を設け、スライダー１８の押圧部５０を回動させるとき、前記スライダー１８の係止孔４８に係合させることで、スライダー１８の回動に対する強い反発力に対抗し、スライダー１８の中央部が図１（Ａ）の矢印「ロ」方向に膨れてしまうことを防ぐようにすることが望ましいが、ピッチの狭小化による前記スライダー１８の強度を考慮すると、２種類あるコンタクト１４、１６の内、一方のコンタクト１４に設けておけば、十分である。前記突出部４４の大きさは、このような役割を果たすことが出来れば如何なる大きさでもよく、スライダー１８の係止孔４８に引っ掛かる程度に適宜設計する。
【００２６】
２種類のコンタクト１４、１６ともに上述したような略倒Ｈ字形状にしたが、例えば、一方のコンタクト１４に代えて、図示はしないが、一方のコンタクトの支点部から延設した方向に設けたＦＰＣとの接触部を削除した略逆ｈ字形状にしたコンタクトを使用してもよい。
また、もう一方の前記コンタクト１６も同様に、図示はしないが、主にＦＰＣ２２と接触する接触部と基板に接続する接続部とハウジングに固定する固定部と前記接触部と前記接続部との間に設けられた弾性部及び支点部と前記弾性部から延設された押受部を備えた、略逆ｈ字形状のものでもよく、前記接触部と前記弾性部と前記支点部と前記接続部とが略コ字形状に配置されている。
【００２７】
最後に、スライダー１８について説明する。このスライダー１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１８は主にハウジング１２に回動可能に装着される軸４６部分と前記コンタクト１４、１６の押受部３２を押圧する押圧部５０と前記コンタクト１４、１６の突出部４４が係合する係止孔４８とを備えている。前記軸４６は、スライダー１８を回動するための支点であり、ハウジング１２の長手方向両側にスライダー１８が回動可能に適宜装着されている。また、長手方向両側には、前記コンタクト１４、１６の押受部３２を押圧した際にスライダー１８が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタ１０の大きさや強度等を考慮して適宜設計する。
【００２８】
前記スライダー１８の前記押圧部５０は、コンタクト１４、１６の押受部３２に押し付ける部分であり、その形状としては細長形状にすることが望ましく、本実施例では楕円形状をしている。このように楕円形状にすることによって、図１（Ａ）のようにスライダー１８を矢印「イ」方向に回動させ、コンタクト１４の押受部３２と接続部３４との間で回転させることで、押圧部５０の大きさの変化によりコンタクト１４の押受部３２が持ち上げられ、ＦＰＣ２２をコンタクト１４の接触部３０側に押し付けている。押圧部５０の形状としては、コンタクト１４の押受部３２と接続部３４との間で回転でき、長軸と短軸といった大きさの違いによりコンタクト１４の押受部３２を押し上げられれば、如何なるものでもよい。
また、前記スライダー１８を回動した際に、スライダー１８の回動に対する反発力が強く、スライダーの中央部が図１（Ａ）の矢印「ロ」方向に膨れてしまうことを防ぐようにする為に、前記コンタクト１４の突出部４４が係合する係止孔４８が別個独立に設けられている。前記係止孔４８を別個独立に設けることで、スライダー１８の強度アップや回動時の変形を防止している。
上述した前記スライダー１８は前記ハウジング１２の嵌合口２４と反対側（一方のコンタクトの接続部側）に回動自在に装着されている。
【産業上の利用可能性】
【００２９】
本発明の活用例としては、携帯電話やノートパソコンやデジタルカメラ等に使用されるコネクタに活用され、特にＦＰＣの挿入時にＦＰＣ用コネクタへ確実なロック構造に関するものである。
【図面の簡単な説明】
【００３０】
【図１】（Ａ）  スライダーが開いた状態の嵌合口側からみた本発明のコネクタの斜視図である。（Ｂ）  スライダーが開いた状態の逆側からみた本発明のコネクタの斜視図である。
【図２】（Ａ）  スライダーが開いた状態のロック部材部分で切断した本発明のコネクタの斜視図である。（Ｂ）  ＦＰＣが挿入されスライダーが閉じた状態のロック部材部分で切断した本発明のコネクタの斜視図である。
【図３】ロック部材の斜視図である。
【図４】（Ａ）  部分的なＦＰＣの斜視図である。（Ｂ）  （Ａ）とは別のＦＰＣの斜視図である。
【図５】（Ａ）  スライダーが開いた状態のある一方のコンタクト部分で切断した本発明のコネクタの斜視図である。（Ｂ）  スライダーが開いた状態のあるもう一方のコンタクト部分で切断した本発明のコネクタの斜視図である。
【図６】スライダーの斜視図である。
【図７】（Ａ）  ＦＰＣが挿入される前のロック部材部分で断面した断面図である。（Ｂ）  ＦＰＣが挿入されロック部材がＦＰＣにロックされた状態の断面図である。
【符号の説明】
【００３１】
１０          コネクタ
１２          ハウジング
１４、１６    コンタクト
１８          スライダー
２０          ロック部材
２２          ＦＰＣ
２４          嵌合口
２６          凹部
２８          挿入溝
３０、５２    接触部
３２、５８    押受部
３４、６０    接続部
３６、６２    固定部
３８、６４    支点部
４０、６６    弾性部
４２、６８    延設部
４４          突出部
４６          軸
４８          係止孔
５０          押圧部
５４          係止部
５６          係合部
５７          溝部
５９          フラット部分
【図１】
2008053246.tif 000003
【図２】
2008053246.tif 000004
【図３】
2008053246.tif 000005
【図４】
2008053246.tif 000006
【図５】
2008053246.tif 000007
【図６】
2008053246.tif 000008
【図７】
2008053246.tif 000009
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
フレキシブルプリント基板（ＦＰＣ）と着脱自在に嵌合するコネクタであって、
前記フレキシブルプリント基板と接触する接触部を有する所要数のコンタクトと、このコンタクトが保持・固定されるとともに前記フレキシブルプリント基板が挿入される嵌合口を有するハウジングと、前記フレキシブルプリント基板を挿入したあと前記コンタクトに作用することにより前記コンタクトと前記フレキシブルプリント基板を接触させるための回動部材とを備えるコネクタにおいて、
前記フレキシブルプリント基板に係止部を設け、
該係止部と係合するフラット部分を有する係合部と基板と接続する接続部との間に弾性部と支点部とを設けるとともに前記接続部を前記コンタクトの接続部とは逆方向に配置し、かつ、前記弾性部から係合部と反対方向に延設された押受部を設け、前記係合部と前記フレキシブルプリント基板の係止部とが係合した際に、前記係合部のフラット部分が前記係止部に係合するような関係で、かつ、前記係合部と対向する位置に溝部を設け、前記回動部材により前記コンタクトと同一の作用を受けるロック部材を前記ハウジングに装着し、
前記回動部材に長手方向に連設した押圧部を設け、前記押圧部が前記ロック部材の押受部と前記ハウジングとの間で回動自在となるように前記回動部材を前記ハウジングの嵌合口と反対側に装着し、
前記回動部材を回動させることにより、前記ロック部材の係合部を前記フレキシブルプリント基板の係止部に係合させることにより前記フレキシブルプリント基板が前記ハウジングから抜けないようにすることを特徴とするコネクタ。
【請求項２】
２種類の異なるコンタクトを千鳥に配置し、それぞれを第一コンタクトと第二コンタクトとし、
前記第一コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、
前記第二コンタクトには接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、
前記回動部材を前記押圧部が前記第一コンタクトの前記押受部と前記接続部との間及び前記第二コンタクトの前記押受部と前記ハウジングとの間で回動自在となるように配置し、
前記回動部材を回動させることにより、前記前記第一コンタクト及び前記第二コンタクトと前記フレキシブルプリント基板とを接触させることを特徴とする請求項１記載のコネクタ。
【請求項３】
前記第一コンタクトのみを使用するコネクタにおいては、前記ロック部材の係合部と前記弾性部と前記支点部と前記接続部とを略コ字状に配置するとともに前記ロック部材を前記ハウジングの嵌合口側より挿入・配置することを特徴とする請求項１または２記載のコネクタ。
【請求項４】
前記第二コンタクトのみを使用するコネクタにおいては、前記ロック部材の係合部と前記弾性部と前記支点部と前記接続部とを略クランク形状に配置するとともに前記ロック部材を前記ハウジングの嵌合口と反対側より挿入・配置することを特徴とする請求項１または２記載のコネクタ。
【請求項５】
前記第一コンタクトと前記第二コンタクトを千鳥に配置するコネクタにおいては、前記ロック部材の係合部と前記弾性部と前記支点部と前記接続部とを略コ字状に配置するとともに前記ロック部材を前記ハウジングの嵌合口側より挿入・配置することを特徴とする請求項１または２記載のコネクタ。
【請求項６】
前記ハウジングには前記嵌合口側に前記フレキシブルプリント基板を誘う凹部を設け、前記第二コンタクトの接続部及び前記ロック部材の接続部を、前記ハウジングの凹部内から突出しないように配置することを特徴とする請求項２、４または５記載のコネクタ。
【手続補正２】
【補正対象書類名】明細書
【補正対象項目名】全文
【補正方法】変更
【補正の内容】
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）の挿入時にコネクタへロックする構造に関するものである。
【背景技術】
【０００２】
携帯電話やＣＣＤカメラ等に使用されるコネクタは、狭ピッチで極薄（所謂軽薄短小）であり、１つのタイプは主にハウジングとコンタクトとを備え、ハウジングにＦＰＣを挿入し、コンタクトの接触部に接触させる構造のもの（所謂、ノンＺＩＦタイプ）やまた違うタイプとしては主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプとしての特許文献１（実開平６−６０９８３号）とピアノタッチタイプとしての特許文献２（特開平１３−２５７０２０号）、を例示する。また、ＦＦＣをロックする構造として、特許文献３（実開平６−８２７８３号）を例示する。
【特許文献１】例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【特許文献２】所謂、ピアノタッチ構造としては、特開平１３−２５７０２０号に、コネクタのコンタクトとＦＰＣ叉はＦＦＣのパターンとの位置合わせを確実に行うことを目的とし、該文献２には、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ又叉はＦＦＣのパターン間の凹部に入ることにより、コネクタのコンタクトとＦＰＣ叉はＦＦＣのパターンとの位置合わせを確実に行うものが開示されている。
【特許文献３】フレキシブルフラットケーブルをロックする構造として、実開平６−８２７８３号に、フレキシブルケーブルの裏面にリジットな補強板が取り付けられているフラットケーブルでも容易にスライダーの爪に係止させることを目的とし、該文献３にはコンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるコネクタにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設したものが開示されている。
【発明の開示】
【発明が解決しようとする課題】
【０００３】
近年では、客先の仕様によって、４〜１０芯と言った少芯数の要求も増えてきている。ＦＰＣの挿入力は小さい方が良いが、ＦＰＣの保持力は大きい方がよい。このようにＦＰＣの挿入力と保持力には相反することが要求されている。上述した所謂ノンＺＩＦタイプでは、ＦＰＣの挿入力と保持力は、前記コンタクトの接触圧（力）によって決まる。即ち、ＦＰＣの保持力は、コンタクトの芯数にコンタクト１芯当たりの接触圧を乗じた力になる。客先からの保持力５Ｎという要求に対して、１０芯以下では、５Ｎという保持力を確保することができず、ＦＰＣが抜けてしまい接続不良になると言った解決すべき課題があった。
また、上述したＺＩＦタイプの即ち、前記ＦＰＣを前記ハウジングに挿入した後に前記スライダーで前記ＦＰＣを前記コンタクトへ押しつけるものでも、スライダーを挿入した分の初期値が上がるだけで、依然としてコンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
なお、文献３のように、フレキシブルケーブルの係止部に突設したスライダーの係止突子を挿入係止されるものでも、スライダーの挿入方向とフレキシブルケーブルの挿入方向が同一のため、依然として、コンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
【０００４】
文献２と文献３とを組み合わせて、文献３のように、文献２に示した所謂ピアノタッチタイプのものに、ＦＰＣに係止部とスライダーに係止突子とを設けたロック構造にすると、ＦＰＣの挿入方向とスライダーの回転方向が違うために芯数が少なくてもＦＰＣの保持力は確保できるが、スライダーには弾性がないので無理にＦＰＣを保持力以上の力で引っ張るとスライダー若しくはＦＰＣが破損してしまう。また、ＦＰＣがこじられる場合には、ＦＰＣを挿入方向と反対方向に引っ張るというよりは、斜め上方へ引っ張るのが一般的であるが、この場合にはスライダーの回転方向と同方向になるため、要求された保持力を得られないことがあった。
【０００５】
そこで、本出願人は、少芯数のコネクタでも、要求されたＦＰＣの保持力を確保することができ、接続不良にも繋がらないコネクタとして、特願２００２−３７３４０３を提案している。この特願２００２−３７３４０３で、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにするコネクタを提案している。
しかしながら、本出願人が行った上記提案のようなロック構造では、ロック部材の係合部がＦＰＣの係止部に係合した際に、前記係合部の先端がＲ形状をしているため、Ｒ形状部分が前記係止部にかかっているので、ロック部材が外れ易く、保持力が４Ｎしかもたないといった課題があった。
【０００６】
本発明は、このような従来の問題点に鑑みてなされたもので、少芯数のコネクタでも、要求されたＦＰＣの保持力を確保することができ、接続不良にも繋がらないコネクタを提供せんとするものである。
【課題を解決するための手段】
【０００７】
少芯数のコネクタでも、要求されたＦＰＣの保持力を確保することができ、接続不良にも繋がらないコネクタとしての上記目的は、ＦＰＣ２２と着脱自在に嵌合するコネクタ１０であって、前記ＦＰＣ２２と接触する接触部３０を有する所要数のコンタクト１４と、このコンタクト１４が保持・固定されるとともに前記ＦＰＣ２２が挿入される嵌合口２４を有するハウジング１２と、前記ＦＰＣ２２を挿入したあと前記コンタクト１４に作用することにより前記コンタクト１４と前記ＦＰＣ２２を接触させるための回動部材１８とを備えるコネクタ１０において、前記ＦＰＣ２２に係止部５４を設け、該係止部５４と係合するフラット部分５９を有する係合部５６と基板と接続する接続部６０との間に弾性部６６と支点部６４とを設けるとともに前記接続部６０を前記コンタクト１４の接続部３４とは逆方向に配置し、かつ、前記弾性部６６から係合部５６と反対方向に延設された押受部５８を設け、前記係合部５６と前記ＦＰＣ２２の係止部５４とが係合した際に、前記係合部５６のフラット部分５９が前記係止部５４に係合するような関係で、かつ、前記係合部５６と対向する位置に溝部５７を設けたロック部材２０を前記ハウジング１２に装着し、前記回動部材１８に長手方向に連設した押圧部５０を設け、前記押圧部５０が前記ロック部材２０の押受部５８と前記ハウジング１２との間で回動自在となるように前記回動部材１８を前記ハウジング１２の嵌合口２４と反対側に装着し、前記回動部材１８を回動させることにより、前記ロック部材２０の係合部５６を前記ＦＰＣ２２の係止部５４に係合させ前記ＦＰＣ２２が前記ハウジング１２から抜けないようにすることにより達成できる。
【０００８】
２種類の異なるコンタクトを千鳥に配置し、それぞれを第一コンタクト１４と第二コンタクト１６とし、前記第一コンタクト１４には接触部３０と接続部３４との間に弾性部４０と支点部３８とを設けるとともに前記接触部３０と前記弾性部４０と前記支点部３８と前記接続部３４とを略クランク形状に配置し、かつ、前記接続部３４と対向する位置に前記弾性部４０から延設された押受部３２を設け、前記第二コンタクトには接触部３０と接続部３４との間に弾性部４０と支点部３８とを設けるとともに前記接触部３０と前記弾性部４０と前記支点部３８と前記接続部３４とを略コ字状に配置し、かつ、前記弾性部４０から接触部３０と反対方向に延設された押受部３２を設け、前記回動部材１８を前記押圧部５０が前記第一コンタクト１４の前記押受部３２と前記接続部３４との間及び前記第二コンタクト１６の前記押受部３２と前記ハウジング１２との間で回動自在となるように配置し、前記回動部材１８を回動させることにより、前記前記第一コンタクト１４及び前記第二コンタクト１６と前記フレキシブルプリント基板２２とを接触させるようにすることで、ＦＰＣ２２のこじりに対する影響もなく、確実に要求された保持力を満足することができる。
また、請求項３記載のコネクタ１０は、前記第一コンタクト１４のみを使用するコネクタ１０においては、前記ロック部材２０の係合部５６と前記弾性部６６と前記支点部６４と前記接続部６０とを略コ字状に配置するとともに前記ロック部材２０を前記ハウジング１２の嵌合口２４側より挿入・配置することを特徴とする請求項１または２記載のコネクタ１０にある。
請求項４記載のコネクタ１０は、前記第二コンタクト１６のみを使用するコネクタ１０においては、前記ロック部材２０の係合部５６と前記弾性部６６と前記支点部６４と前記接続部６０とを略クランク形状に配置するとともに前記ロック部材２０を前記ハウジング１２の嵌合口２４と反対側より挿入・配置することを特徴とする請求項１または２記載のコネクタ１０にある。
さらに、請求項５記載のコネクタ１０は、前記第一コンタクト１４と前記第二コンタクト１６を千鳥に配置するコネクタ１０においては、前記ロック部材２０の係合部５６と前記弾性部６６と前記支点部６４と前記接続部６０とを略コ字状に配置するとともに前記ロック部材２０を前記ハウジング１２の嵌合口２４側より挿入・配置することを特徴とする請求項１または２記載のコネクタ１０にある。
前記ハウジング１２には前記嵌合口２４側に前記ＦＰＣ２２を誘う凹部２６を設け、前記第二コンタクト１６の接続部３４及び前記ロック部材２０の接続部６０を、前記ハウジング１２の凹部２６内から突出しないように配置する。このように第二コンタクト１６を配置することで、確実にＦＰＣ２２を前記ハウジング１２の嵌合口２４に案内することができる。
【０００９】
本コネクタの作用としては、図１（Ａ）の状態で前記ＦＰＣ２２を前記ハウジング１２の嵌合口２４内に挿入した後、前記回動部材１８を矢印「イ」方向に回動させると、前記回動部材１８の前記押圧部５０が前記ロック部材２０の前記押受部５８と前記ハウジング１２（実施例では前記延設部６８）との間で回動することで、前記ロック部材２０の弾性により前記ロック部材２０の前記押受部５８が上方に持ち上げられると同時に前記ロック部材２０の前記係合部５６が下方に下がることにより、前記ロック部材２０の前記係合部５６と前記ＦＰＣ２２の前記係止部５４とを係合させることができる。
【発明の効果】
【００１０】
以上の説明から明らかなように、本発明のコネクタ１０によると、次のような優れた顕著な効果が得られる。
（１）前記ＦＰＣ２２と着脱自在に嵌合するコネクタ１０であって、前記ＦＰＣ２２と接触する接触部３０を有する所要数のコンタクト１４と、このコンタクト１４が保持・固定されるとともに前記ＦＰＣ２２が挿入される嵌合口２４を有するハウジング１２と、前記ＦＰＣ２２を挿入したあと前記コンタクト１４に作用することにより前記コンタクト１４と前記ＦＰＣ２２を接触させるための回動部材１８とを備えるコネクタ１０において、前記ＦＰＣ２２に係止部５４を設け、該係止部５４と係合するフラット部分５９を有する係合部５６と基板と接続する接続部６０との間に弾性部６６と支点部６４とを設けるとともに前記接続部６０を前記コンタクト１４の接続部３４とは逆方向に配置し、かつ、前記弾性部６６から係合部５６と反対方向に延設された押受部５８を設け、前記係合部５６と前記ＦＰＣ２２の係止部５４とが係合した際に、前記係合部５６のフラット部分５９が前記係止部５４に係合するような関係で、かつ、前記係合部５６と対向する位置に溝部５７を設けたロック部材２０を前記ハウジング１２に装着し、前記回動部材１８に長手方向に連設した押圧部５０を設け、前記押圧部５０が前記ロック部材２０の押受部５８と前記ハウジング１２との間で回動自在となるように前記回動部材１８を前記ハウジング１２の嵌合口２４と反対側に装着し、前記回動部材１８を回動させることにより、前記ロック部材２０の係合部５６を前記ＦＰＣ２２の係止部５４に係合させ、前記ＦＰＣ２２が前記ハウジング１２から抜けないようにしているので、少ない芯数でも要求される保持力を満足することができ、かつ、０．９ｍｍ以下といった低背位化しても、確実に前記係合部５６が前記係止部５４に係合し、保持力が５Ｎを確保でき、前記ロック部材２０が外れることがなく、さらに、前記ロック部材２０も基板に固定する固定具としての役割を持たせているため、ＦＰＣ２２のこじりに対する影響もなく、前記ロック部材２０がより強固になり、ゼロ  インサーション  フォース（ＺＩＦ）構造が可能で、接続不良に繋がらない。
（２）前記係合部５６と対向した位置に溝部５７を設けているので、０．９ｍｍ以下といった低背位化しても、確実に前記係合部５６が前記係止部５４に係合し、保持力が５Ｎを確保でき、前記ロック部材２０が外れることがなく、接続不良に繋がらない。
（３）前記ロック部材２０に基板との接続部６０を設けるとともに前記接続部６０を前記コンタクト１４の接続部３４とは逆方向に配置し、基板へ固定するための固定具としての役割を持たせているので、前記ロック部材２０がより強固になり、確実に要求される保持力を満足することができ、バランスよく保持することができる。
（４）前記ロック部材２０の係合部５６と前記ＦＰＣ２２の係止部５４とが係合した際に、前記係合部５６のフラット部分５９が前記係止部５４に係合するような関係に前記溝部５７を設けているので、確実にロック部材２０が前記ＦＰＣ２２に係合し、５Ｎ以上の安定した保持力を確保することができ、前記ロック部材２０が外れ難くなる。
【００１１】
（５）前記ハウジング１２には前記嵌合口２４側に前記ＦＰＣ２２を誘う凹部２６を設け、前記第二コンタクト１６の接続部３４及び前記ロック部材２０の接続部６０を前記ハウジング１２の凹部２６内から突出しないように配置しているので、確実にＦＰＣ２２を前記ハウジング１２の嵌合口２４に案内することができる。
（６）２種類の異なるコンタクト、第一コンタクト１４と第二コンタクト１６を千鳥に配置し、第一コンタクト１４の接続部３４を前記ハウジング１２の嵌合口２４と反対側に配置し、第二コンタクト１６及び前記ロック部材２０の接続部３４、６０を、嵌合口２４側に前記ハウジング１２の凹部２６内から突出しないように配置しているので、確実にＦＰＣ２２を前記ハウジング１２の嵌合口２４に案内することができ、かつ、ＦＰＣ２２のこじりに対して強固になり、要求された保持力を満足できる。
（７）第一コンタクト１４には接触部３０と接続部３４との間に弾性部４０と支点部３８とを設けるとともに前記接触部３０と前記弾性部４０と前記支点部３８と前記接続部３４とを略クランク形状に配置し、かつ、前記接続部３４と対向する位置に前記弾性部４０から延設された押受部３２を設け、第二コンタクト１６には接触部３０と接続部３４との間に弾性部４０と支点部３８とを設けるとともに前記接触部３０と前記弾性部４０と前記支点部３８と前記接続部３４とを略コ字状に配置し、かつ、前記弾性部４０から接触部３０と反対方向に延設された押受部３２を設けるとともに前記支点部３８から押受部３２と対向するように延設部４２を設け、前記接続部３４が前記ハウジング１２の凹部２６内に入るように配置し、前記回動部材１８に長手方向に連設した押圧部５０を設け、該押圧部５０が第一コンタクト１４の接続部３４と押受部３２との間及び第二コンタクト１６の押受部３２と延設部４２との間で前記押圧部５０が回動自在に回動するように前記回動部材１８を前記ハウジング１２に装着しているので、回動部材１８は前記ハウジング１２の嵌合側と反対側で回動することになり、ＦＰＣ２２のこじりに対する影響もなく、確実に要求された保持力を満足することができる。
（８）前記ロック部材２０と第二コンタクト１６とを同一構造にしているので、前記ロック部材２０でもＺＩＦ構造を実現でき、ＦＰＣ２２のロックも確実にすることができる。
（９）２種類の異なるコンタクトである第一コンタクト１４と第二コンタクト１６を準備し、第一コンタクト１４を嵌合口２４と反対側から挿入し、第二コンタクト１６を嵌合口２４側から挿入し、回動部材１８をハウジング１２の嵌合口２４と反対側で回動させることで、第一コンタクト１４及び前記第二コンタクト１６の接触部３０をＦＰＣ２２の接触部５２に接触させる構造にしているので、ハウジング１２の嵌合口２４にスライダーを挿入することがなく、スライダーの厚み分だけコネクタの低背位化が可能になった。
（１０）請求項３記載のコネクタ１０は、前記第一コンタクト１４のみを使用するコネクタ１０においては、前記ロック部材２０の係合部５６と前記弾性部６６と前記支点部６４と前記接続部６０とを略コ字状に配置するとともに前記ロック部材２０を前記ハウジング１２の嵌合口２４側より挿入・配置することを特徴とする請求項１または２記載のコネクタ１０にしているので、前記ロック部材２０がより強固になり、確実に要求される保持力を満足することができ、バランスよく保持することができる。
（１１）請求項４記載のコネクタ１０は、前記第二コンタクト１６のみを使用するコネクタ１０においては、前記ロック部材２０の係合部５６と前記弾性部６６と前記支点部６４と前記接続部６０とを略クランク形状に配置するとともに前記ロック部材２０を前記ハウジング１２の嵌合口２４と反対側より挿入・配置することを特徴とする請求項１または２記載のコネクタ１０にしているので、前記ロック部材２０がより強固になり、確実に要求される保持力を満足することができ、バランスよく保持することができる。
（１２）請求項５記載のコネクタ１０は、前記第一コンタクト１４と前記第二コンタクト１６を千鳥に配置するコネクタ１０においては、前記ロック部材２０の係合部５６と前記弾性部６６と前記支点部６４と前記接続部６０とを略コ字状に配置するとともに前記ロック部材２０を前記ハウジング１２の嵌合口２４側より挿入・配置することを特徴とする請求項１または２記載のコネクタ１０にしているので、前記ロック部材２０がより強固になり、確実に要求される保持力を満足することができ、バランスよく保持することができる。
【発明を実施するための最良の形態】
【００１２】
本発明の重要な特徴は、「前記ＦＰＣ２２に係止部５４を設け、該係止部５４に前記ロック部材２０の係合部５６を係合させ、前記ＦＰＣ２２が前記ハウジング１２から抜けないようにした」点と「前記ロック部材２０の係合部５６と対向した位置に溝部５７を設けた」点にある。この特徴を活かした形態のコネクタは、主にハウジングとコンタクトとロック部材と回動部材とを備えており、前記ＦＰＣを前記ハウジングの嵌合口へ挿入したあと、前記ハウジングの嵌合口と反対側に備えた回動部材を回動させて、前記コンタクト及び前記ロック部材と前記ＦＰＣとを接触及び係合させるものであり、所謂ＺＩＦ構造（ゼロ インサーション フォース タイプ）のコネクタと称するものである。この構造のものは、前記ＦＰＣに係止部を設け、該係止部に前記ロック部材の係合部を係合させ、前記ＦＰＣが前記ハウジングから抜けないようにしていることは言うまでもない。
【実施例】
【００１３】
図１から図７に基づいて、本発明のコネクタの一実施例について説明する。図１（Ａ）は回動部材が開いた状態の嵌合口側からみた本発明のコネクタの斜視図であり、（Ｂ）は回動部材が開いた状態の逆側からみた本発明のコネクタの斜視図である。図２（Ａ）は回動部材が開いた状態のロック部材部分で切断した本発明のコネクタの斜視図であり、（Ｂ）はＦＰＣが挿入され回動部材が閉じた状態のロック部材部分で切断した本発明のコネクタの斜視図である。図３はロック部材の斜視図である。図４（Ａ）は部分的なＦＰＣの斜視図であり、（Ｂ）は（Ａ）とは別のＦＰＣの斜視図である。図５（Ａ）は回動部材が開いた状態のある第一コンタクト部分で切断した本発明のコネクタの斜視図であり、（Ｂ）は回動部材が開いた状態のある第二コンタクト部分で切断した本発明のコネクタの斜視図である。図６は回動部材の斜視図である。図７（Ａ）はＦＰＣが挿入される前のロック部材部分で断面した断面図であり、（Ｂ）はＦＰＣが挿入されロック部材がＦＰＣにロックされた状態の断面図である。
一実施例の本発明のコネクタ１０は、主にハウジング１２と回動部材１８と２種類の異なるコンタクトである第一コンタクト１４及び第二コンタクト１６とロック部材２０を備えている。前記コネクタ１０は、第一コンタクト１４と第二コンタクト１６とをハウジング１２への挿入方向を変えて千鳥に配列しており、挿入方向を変えて千鳥に配列することによってピッチの狭小化と低背位化に対応させたものであり、また、ロック部材２０によりＦＰＣ２２の保持力をアップしたものである。
【００１４】
構成部品を説明する前に、ＦＰＣ２２について説明する。前記ＦＰＣ２２には、主に２種類の異なるコンタクトである第一コンタクト１４及び第二コンタクト１６の接触部３０と接触する接触部５２と該接触部５２から回路へ繋がるパターンとロック部材２０の係合部５６と係合する係止部５４とを備えている。図４のように、本実施例では前記ＦＰＣ２２の接触部５２は千鳥に配置した。前記係止部５４の形状としては、前記ロック部材２０の係合部５６に係合できれば如何なるものでも良いが、本実施例では図４（Ａ）のようにコ字形状の切り欠きにしてもよく、（Ｂ）のように貫通孔にしてもよい。仕様によっては（Ｂ）の貫通孔を止め孔にしてもよい。
【００１５】
まず、本発明のポイントであるロック部材２０について説明する。このロック部材２０は金属製であり、公知技術のプレス加工によって製作されている。前記ロック部材２０の材質としては、バネ性や成型性などが要求されるので、黄銅やベリリウム銅やリン青銅等を挙げることができる。
本実施例では、前記ロック部材２０は前記第二コンタクト１６と同様構造にし、倒略Ｈ字形状をしており、主にＦＰＣ２２の係止部５４に係合する係合部５６と基板に接続する接続部６０とハウジング１２に固定する固定部６２と前記係合部５６と前記接続部６０との間に設けられた弾性部６６及び支点部６４と前記弾性部６６から延設された押受部５８と前記支点部６４からも前記接続部６０と反対方向に延設された延設部６８とを備え、前記係合部５６と前記弾性部６６と前記支点部６４と前記接続部６０とは略コ字形状に配置されている。また、前記ロック部材２０には、図７（Ｂ）のように前記係合部５６が前記ＦＰＣ２２の係止部５４に係合した際の前記係合部５６に対応した位置に溝部５７が設けられている。該溝部５７の形状、大きさは前記ロック部材２０の係合部５６と前記ＦＰＣ２２の係止部５４とが係合した際に、前記係合部５６のフラット部分５９が前記係止部５４に係合するような関係になり、かつ、前記ロック部材２０の強度を考慮して適宜設計する。また、同様な関係になり、かつ、強度を考慮して、前記係合部５６の先端のＲ（アール）の大きさも適宜設計する。本実施例では前記溝部５７の深さを０．０８ｍｍにし、前記係合部５６のＲの大きさを０．０５ｍｍにし、前記溝部５７の形状は凹んだ湾曲状にした。前記接続部６０は、本実施例では、表面実装タイプ（ＳＭＴ）にしているが、ディップタイプでも良い。
前記弾性部６６と前記支点部６４と前記押受部５８と前記延設部６８については、第二コンタクト１６と同様の作用・効果を有するため、第二コンタクト１６の説明を参照願います。
【００１６】
前記ロック部材２０の係合部５６は、前記ＦＰＣ２２の係止部５４に対応した位置に設けられ、かつ、前記ロック部材２０は前記係合部５６と前記係止部５４とが係合できるように前記ハウジング１２に圧入や引っ掛け（ランス）等により前記ロック部材２０の接続部６０が前記ハウジング１２の嵌合口２４側になるように固定する。前記係合部５６の大きさは要求される保持力を満足するように適宜設計し、また、形状は前記ＦＰＣ２２の係止部５４に係合できれば如何なるものでもよいが、保持力等を考慮し、本実施例では略直角三角形にし、垂直の面が前記ＦＰＣ２２の係止部５４の面に接するようにする。即ち、前記ロック部材２０の係合部５６と前記ＦＰＣ２２の係止部５４とが係合した際に、前記係合部５６のフラット部分５９が前記係止部５４に係合するような関係に前記溝部５７を設けることで、確実にロック部材２０が前記ＦＰＣ２２に係合し、５Ｎ以上の安定した保持力を確保することができ、前記ロック部材２０が外れ難くしている。
本実施例では、前記係合部５６は前記ＦＰＣ２２を前記ハウジング１２の嵌合口２４に挿入する時は前記係止部５４に係合しないが、前記スライダー１８により前記第一コンタクト１４及び前記第二コンタクト１６を前記ＦＰＣ２２に押圧する時に係合するようになっている。
【００１７】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１８】
前記ハウジング１２には、所要数の第一コンタクト１４及び所要数の第二コンタクト１６が装着される挿入溝２８が設けられており、圧入や引っ掛け（ランス）や溶着等によって固定されている。また、前記ハウジング１２には前記ＦＰＣ２２が挿入される嵌合口２４が設けられ、前記嵌合口２４側に前記ＦＰＣ２２を誘う凹部２６が設けられている。該凹部２６の大きさは、前記ハウジング１２の強度や前記第二コンタクト１６及び前記ロック部材２０の接続性（半田付け性）や前記ＦＰＣ２２の誘い易さを考慮し、前記第二コンタクト１６及び前記ロック部材２０の接続部３４、６０が前記ハウジング１２の凹部２６内から突出しないように適宜設計されている。前記嵌合口２４の大きさは前記ＦＰＣ２２が挿入でき、前記ＦＰＣ２２が挿入された際に前記回動部材１８で前記第一コンタクト１４及び前記第二コンタクト１６に押圧できるように適宜設計されている。前記ハウジング１２の長手方向両側には、前記回動部材１８の軸４６が回動可能に装着される軸受部が設けられている。この軸受部の形状や大きさは、回動部材１８の軸４６が回動できるように装着されていれば如何なるものでもよく、この役割やハウジング１２の強度や大きさ等を考慮して適宜設計する。さらにまた、長手方向両側には、前記回動部材１８のロック部に対応した位置に係止部が設けられている。
【００１９】
次に、２種類の異なるコンタクトである第一コンタクト１４及び第二コンタクト１６について説明する。前記第一コンタクト１４及び前記第二コンタクト１６は前記ロック部材２０同様に金属製であり、公知技術のプレス加工によって製作されている。前記第一コンタクト１４及び前記第二コンタクト１６の材質としては、バネ性や導電性などが要求されるので、黄銅やベリリウム銅やリン青銅等を挙げることができる。
【００２０】
前記第一コンタクト１４は、図５（Ａ）のように倒略Ｈ形状をしており、主にＦＰＣ２２と接触する接触部３０と基板に接続する接続部３４とハウジング１２に固定する固定部３６と前記接触部３０と前記接続部３６との間に設けられた弾性部４０及び支点部３８と前記接続部３６と対向する位置に前記弾性部４０から延設された押受部３２と支点部３８から延設した方向にも前記ＦＰＣ２２と接触するもう一つの接触部３０とを備えている。上方側の前記接触部３０（図５（Ａ）の図面の上側）と前記弾性部４０と前記支点部３８と前記接続部３４とは、略クランク形状に配置されている。前記接触部３０は、ＦＰＣ２２と接触し易いように凸部形状にしており、前記接続部３４は本実施例では図１のように表面実装タイプ（ＳＭＴ）にしているが、ディップタイプでも良い。即ち、２つの接触部３０、３０を設けて、前記ＦＰＣ２２を挟持するようにする。前記ＦＰＣ２２の挿入方向に対して、直角方向両側に接触部３０、３０を設けることで、前記ＦＰＣ２２を２つの接触部３０、３０で挟持することになり、確実に前記ＦＰＣ２２と接触できるようになる。
【００２１】
前記支点部３８と前記弾性部４０と前記押受部３２とは、前記ＦＰＣ２２が挿入された際に、次のような作用を果たすための部分である。前記ＦＰＣ２２が前記ハウジング１２の嵌合口２４内に挿入された後に、前記回動部材１８の押圧部５０が前記第一コンタクト１４の接続部３４と押受部３２との間で回動すると、前記押受部３２が押圧部５０によって押し上げられることで前記第一コンタクト１４の支点部３８を支点にし、前記第一コンタクト１４の弾性部４０が前記接触部３０側に傾くことによって、前記接触部３０が前記ＦＰＣ２２側に押圧される。前記支点部３８と前記弾性部４０と前記押受部３２の大きさや形状は、このような作用を果たすために、適宜設計されている。また、前記第一コンタクト１４の押受部３２の先端に突出部４４を設け、回動部材１８の押圧部５０を第一コンタクト１４の押受部３２と接続部３４との間で回動させるとき、前記回動部材１８の係止孔４８に係合させることで、回動部材１８の回動に対する強い反発力に対抗し、回動部材１８の中央部が図１（Ａ）の矢印「ロ」方向に膨れてしまうことを防ぐようにすることが望ましい。前記突出部４４の大きさは、このような役割を果たすことが出来れば如何なる大きさでもよく、回動部材１８の係止孔４８が引っ掛かる程度に適宜設計する。
【００２２】
第二コンタクト１６について説明する。ここでは、上述した第一コンタクト１４との相違部分についてのみ説明する。前記第二コンタクト１６も前記第一コンタクト１４と同様に倒略Ｈ字形状をしており、主にＦＰＣ２２と接触する接触部３０と基板に接続する接続部３４とハウジング１２に固定する固定部３６と前記接触部３０と前記接続部３４との間に設けられた弾性部４０及び支点部３８と前記弾性部４０から延設された押受部３２と前記支点部３８からも接続部３４と反対方向に延設された延設部４２とを備え、前記接触部３０と前記弾性部４０と前記支点部３８と前記接続部３４とは略コ字形状に配置されている。前記接続部３４は、第一コンタクト１４と同様に表面実装タイプ（ＳＭＴ）にしているが、ディップタイプでも良い。
【００２３】
前記支点部３８と前記弾性部４０と前記押受部３２とは、第一コンタクト１４と同様に、前記ＦＰＣ２２が挿入された際に、前記回動部材１８の押圧部５０が前記第二コンタクト１６の押受部３２と延設部４２との間で回動すると、前記押受部３２が押圧部５０によって押し上げられることで前記第二コンタクト１６の支点部３８を支点にし、前記第二コンタクト１６の弾性部５０が前記接触部３０側に傾くことによって、前記接触部３０が前記ＦＰＣ２２側に押圧される。前記支点部３８と前記弾性部４０と前記押受部３２の大きさや形状は、このような作用を果たすために、適宜設計されている。また、前記第二コンタクト１６の押受部３２の先端に突出部４４を設け、回動部材１８の押圧部５０を回動させるとき、前記回動部材１８の係止孔４８に係合させることで、回動部材１８の回動に対する強い反発力に対抗し、回動部材１８の中央部が図１（Ａ）の矢印「ロ」方向に膨れてしまうことを防ぐようにすることが望ましいが、ピッチの狭小化による前記回動部材１８の強度を考慮すると、第一コンタクト１４及び第二コンタクト１６の内、第一コンタクト１４に設けておけば、十分である。前記突出部４４の大きさは、このような役割を果たすことが出来れば如何なる大きさでもよく、回動部材１８の係止孔４８に引っ掛かる程度に適宜設計する。
【００２４】
第一コンタクト１４及び第二コンタクト１６ともに上述したような略倒Ｈ字形状にしたが、例えば、第一コンタクト１４に代えて、図示はしないが、一方のコンタクトの支点部から延設した方向に設けたＦＰＣとの接触部を削除した略逆ｈ字形状にしたコンタクトを使用してもよい。
また、前記第二コンタクト１６も同様に、図示はしないが、主にＦＰＣ２２と接触する接触部と基板に接続する接続部とハウジングに固定する固定部と前記接触部と前記接続部との間に設けられた弾性部及び支点部と前記弾性部から延設された押受部を備えた、略逆ｈ字形状のものでもよく、前記接触部と前記弾性部と前記支点部と前記接続部とが略コ字形状に配置されている。
【００２５】
最後に、回動部材１８について説明する。この回動部材１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記回動部材１８は主にハウジング１２の嵌合口２４と反対側に回動可能に装着される軸４６部分と前記第一コンタクト１４及び前記第二コンタクト１６の押受部３２を押圧する押圧部５０と前記第一コンタクト１４及び前記第二コンタクト１６の突出部４４が係合する係止孔４８とを備えている。前記軸４６は、回動部材１８を回動するための支点であり、ハウジング１２の長手方向両側に回動部材１８が回動可能に適宜装着されている。また、長手方向両側には、前記第一コンタクト１４及び前記第二コンタクト１６の押受部３２を押圧した際に回動部材１８が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタ１０の大きさや強度等を考慮して適宜設計する。
【００２６】
前記回動部材１８の前記押圧部５０は、第一コンタクト１４及び第二コンタクト１６の押受部３２に押し付ける部分であり、その形状としては細長形状にすることが望ましく、本実施例では楕円形状をしている。このように楕円形状にすることによって、図１（Ａ）のように回動部材１８を矢印「イ」方向に回動させ、第一コンタクト１４の押受部３２と接続部３４との間で回転させることで、押圧部５０の大きさの変化により第一コンタクト１４の押受部３２が持ち上げられ、ＦＰＣ２２を第一コンタクト１４の接触部３０側に押し付けている。押圧部５０の形状としては、第一コンタクト１４の押受部３２と接続部３４との間で回転でき、長軸と短軸といった大きさの違いにより第一コンタクト１４の押受部３２を押し上げられれば、如何なるものでもよい。
また、前記回動部材１８を回動した際に、回動部材１８の回動に対する反発力が強く、回動部材の中央部が図１（Ａ）の矢印「ロ」方向に膨れてしまうことを防ぐようにする為に、前記第一コンタクト１４の突出部４４が係合する係止孔４８が別個独立に設けられている。前記係止孔４８を別個独立に設けることで、回動部材１８の強度アップや回動時の変形を防止している。
上述した前記回動部材１８は前記ハウジング１２の嵌合口２４と反対側（一方のコンタクトの接続部側）に回動自在に装着されている。
【００２７】
上記のように、本実施例では、２種類の異なるコンタクト（第一コンタクト１４と第二コンタクト１６）及び前記ロック部材２０については、前記延設部４２、６８を設けるものについて説明した。しかしながら、図示はしないが、２種類の異なるコンタクト（第一コンタクト１４と第二コンタクト１６）及び前記ロック部材２０ともに、前記延設部４２、６８を設けないものであってもよい。上記で、前記回動部材１８の押圧部５０が前記押受部３２、５８と前記延設部４２、６８との間で回動（回転）すると説明したものは、前記押受部３２、５８と前記ハウジング１２との間で回動（回転）することになる。
【００２８】
上記のように、本実施例では、２種類の異なるコンタクト（第一コンタクト１４と第二コンタクト１６）を千鳥に配置したコネクタ１０について説明した。つまり、前記第一コンタクト１４を前記嵌合口２４側より挿入・配置し、前記第二コンタクト１６を前記嵌合口２４の反対側より挿入・配置したコネクタ１０である。しかしながら、図示はしないが、コネクタ１０としては、前記第一コンタクト１４のみを使用するものもあれば、前記第二コンタクト１６のみを使用するものもある。前記第一コンタクト１４か前記第二コンタクト１６のどちらか一方を使用するコネクタ１０の場合、前記ロック部材２０は、前記ロック部材２０の接続部６０と前記第一コンタクト１４若しくは前記第二コンタクト１６の接続部３４と反対側になるように配置する。つまり、前記第一コンタクト１４のみを使用するコネクタ１０の場合、前記ロック部材２０の接続部６０は嵌合口２４側に配置し、前記第二コンタクト１６のみを使用するコネクタ１０の場合、前記ロック部材２０の接続部６０は嵌合口２４と反対側に配置することである。このように配置することで、保持強度をアップするとともに保持する部分のバランスを考慮できる。
【産業上の利用可能性】
【００２９】
本発明の活用例としては、携帯電話やノートパソコンやデジタルカメラ等に使用されるコネクタに活用され、特にＦＰＣの挿入時にＦＰＣ用コネクタへ確実なロック構造に関するものである。
【図面の簡単な説明】
【００３０】
【図１】（Ａ）  回動部材が開いた状態の嵌合口側からみた本発明のコネクタの斜視図である。（Ｂ）  回動部材が開いた状態の逆側からみた本発明のコネクタの斜視図である。
【図２】（Ａ）  回動部材が開いた状態のロック部材部分で切断した本発明のコネクタの斜視図である。（Ｂ）  ＦＰＣが挿入され回動部材が閉じた状態のロック部材部分で切断した本発明のコネクタの斜視図である。
【図３】ロック部材の斜視図である。
【図４】（Ａ）  部分的なＦＰＣの斜視図である。（Ｂ）  （Ａ）とは別のＦＰＣの斜視図である。
【図５】（Ａ）  回動部材が開いた状態のある第一コンタクト部分で切断した本発明のコネクタの斜視図である。（Ｂ）  回動部材が開いた状態のある第二コンタクト部分で切断した本発明のコネクタの斜視図である。
【図６】回動部材の斜視図である。
【図７】（Ａ）  ＦＰＣが挿入される前のロック部材部分で断面した断面図である。（Ｂ） ＦＰＣが挿入されロック部材がＦＰＣにロックされた状態の断面図である。
【符号の説明】
【００３１】
１０        コネクタ
１２        ハウジング
１４        第一コンタクト
１６        第二コンタクト
１８        回動部材
２０        ロック部材
２２        ＦＰＣ
２４        嵌合口
２６        凹部
２８        挿入溝
３０、５２  接触部
３２、５８  押受部
３４、６０  接続部
３６、６２  固定部
３８、６４  支点部
４０、６６  弾性部
４２、６８  延設部
４４        突出部
４６        軸
４８        係止孔
５０        押圧部
５４        係止部
５６        係合部
５７        溝部
５９        フラット部分